(57)【要約】      （修正有）【課題】バリアブル印刷による印刷物において、バリアブルデータの改竄などが行われることなく適切に印刷が行われたかを容易に検品することが可能な印刷物検品システム、印刷検品装置、画像形成装置、検品装置、印刷検品プログラム、画像形成プログラム、及び検品プログラムを提供する。【解決手段】画像形成装置にユーザデータが登録された際に、印刷物の識別情報を生成し、識別画像を備えたリストを印刷出力すると共に、識別情報を検品装置に記憶させる。そして、印刷物の印刷が指示されると、識別情報を再生成すると共に、印刷可能な識別画像に変換して、当該識別画像を付した印刷物を印刷出力する。また、検品時には、印刷画像に付された識別画像を読み取って識別情報に変換し、リストから取得した識別情報、若しくは、検品装置に記憶されている識別情報と比較して検品を行う。【選択図】  図１
2007334701.tif 000002
【特許請求の範囲】
【請求項１】
ユーザデータに基づいて印刷物毎に識別情報を生成する第１の識別情報生成手段と、
前記識別情報を印刷可能な識別画像に変換する識別情報変換手段と、
前記ユーザデータとフォームとを用いて、前記識別画像を付した前記印刷物をオーバレイ印刷するための処理を行うバリアブル印刷手段と、
前記ユーザデータと前記識別情報とを関連付けたリストを生成して印刷出力するための処理を行うリスト印刷手段と
を具備する画像形成装置と、
前記識別画像を読み取る識別画像読み取り手段と、
前記識別画像を識別情報に変換して検品を行う検品処理手段と
を具備する検品装置と、
を備えることを特徴とする印刷物検品システム。
【請求項２】
ユーザデータに基づいて印刷物毎に識別情報を生成する第１の識別情報生成手段と、
前記識別情報を印刷可能な識別画像に変換する識別情報変換手段と、
前記ユーザデータとフォームとを用いて、前記識別画像を付した前記印刷物をオーバレイ印刷するための処理を行うバリアブル印刷手段と
を具備する画像形成装置と、
前記識別情報を記憶する識別情報記憶手段と、
前記識別画像を読み取る識別画像読み取り手段と、
前記識別画像を識別情報に変換し、前記識別情報記憶手段に記憶されている識別情報を用いて検品を行う検品処理手段と
を具備する検品装置と、
を備えることを特徴とする印刷物検品システム。
【請求項３】
前記画像形成装置は、前記ユーザデータと前記識別情報とを関連付けたリストを生成して印刷出力するための処理を行うリスト印刷手段をさらに具備し、
前記検品処理手段は、前記リストから読み取った識別画像を変換した識別情報、又は前記識別情報記憶手段に記憶されている識別情報を用いて検品を行う
ことを特徴とする請求項２記載の印刷物検品システム。
【請求項４】
ユーザデータに基づいて印刷物毎に識別情報を生成する第１の識別情報生成手段と、
前記識別情報を印刷可能な識別画像に変換する識別情報変換手段と、
前記ユーザデータとフォームとを用いて、前記識別画像を付した前記印刷物をオーバレイ印刷するための処理を行うバリアブル印刷手段と
を具備する画像形成装置と、
前記ユーザデータに基づいて印刷物毎に識別情報を生成する第２の識別情報生成手段と、
前記識別画像を読み取る識別画像読み取り手段と、
前記識別画像を識別情報に変換し、前記第２の識別情報生成手段で生成した識別情報を用いて検品を行う検品処理手段と
を具備する検品装置と、
を備えることを特徴とする印刷物検品システム。
【請求項５】
前記画像形成装置は、前記ユーザデータと前記識別情報とを関連付けたリストを生成して印刷出力するための処理を行うリスト印刷手段をさらに具備し、
前記検品処理手段は、前記リストから読み取った識別画像を変換した識別情報、又は前記第２の識別情報生成手段で生成した識別情報を用いて検品を行う
ことを特徴とする請求項４記載の印刷物検品システム。
【請求項６】
前記第１の識別情報生成手段は、前記印刷物を印刷出力する際に前記識別情報を再生成し、
前記バリアブル印刷手段は、再生成した識別情報を変換した識別画像を用いて該識別画像が付された前記印刷物を印刷するための処理を行う
ことを特徴とする請求項１乃至５記載の印刷物検品システム。
【請求項７】
ユーザデータに基づいて印刷物毎に識別情報を生成する識別情報生成手段と、
前記識別情報を印刷可能な識別画像に変換する識別情報変換手段と、
前記ユーザデータとフォームとを用いて、前記識別画像を付した前記印刷物をオーバレイ印刷するための処理を行うバリアブル印刷手段と、
前記ユーザデータと前記識別情報とを関連付けたリストを生成して印刷出力するための処理を行うリスト印刷手段と、
前記識別画像を読み取る識別画像読み取り手段と、
前記識別画像を識別情報に変換して検品を行う検品処理手段と
を具備することを特徴とする印刷検品装置。
【請求項８】
ユーザデータに基づいて印刷物毎に識別情報を生成する識別情報生成手段と、
前記識別情報を印刷可能な識別画像に変換する識別情報変換手段と、
前記ユーザデータとフォームとを用いて、前記識別画像を付した前記印刷物をオーバレイ印刷するための処理を行うバリアブル印刷手段と、
前記識別情報を記憶する識別情報記憶手段と、
前記識別画像を読み取る識別画像読み取り手段と、
前記識別画像を識別情報に変換し、前記識別情報記憶手段に記憶されている識別情報を用いて検品を行う検品処理手段と
を具備することを特徴とする印刷検品装置。
【請求項９】
前記ユーザデータと前記識別情報とを関連付けたリストを生成して印刷出力するための処理を行うリスト印刷手段をさらに具備し、
前記検品処理手段は、前記リストから読み取った識別画像を変換した識別情報、又は前記識別情報記憶手段に記憶されている識別情報を用いて検品を行う
ことを特徴とする請求項８記載の印刷検品装置。
【請求項１０】
前記識別情報生成手段は、前記印刷物を印刷出力する際に前記識別情報を再生成し、
前記バリアブル印刷手段は、再生成した識別情報を変換した識別画像を用いて該識別画像が付された前記印刷物を印刷するための処理を行う
ことを特徴とする請求項７乃至９記載の印刷検品装置。
【請求項１１】
ユーザデータに基づいて印刷物毎に識別情報を生成する識別情報生成手段と、
前記識別情報を印刷可能な識別画像に変換する識別情報変換手段と、
前記ユーザデータとフォームとを用いて、前記識別画像を付した前記印刷物をオーバレイ印刷するための処理を行うバリアブル印刷手段と
を具備することを特徴とする画像形成装置。
【請求項１２】
前記ユーザデータと前記識別情報とを関連付けたリストを生成して印刷出力するための処理を行うリスト印刷手段をさらに具備することを特徴とする請求項１１記載の画像形成装置。
【請求項１３】
前記識別情報生成手段は、前記印刷物の検品を行う検品装置に前記識別情報を送信することを特徴とする請求項１１又は１２記載の画像形成装置。
【請求項１４】
前記識別情報生成手段は、前記印刷物を印刷出力する際に前記識別情報を再生成し、
前記バリアブル印刷手段は、再生成した識別情報を変換した識別画像を用いて該識別画像が付された前記印刷物を印刷するための処理を行う
ことを特徴とする請求項１１乃至１３記載の画像形成装置。
【請求項１５】
ユーザデータに基づいて画像形成装置で印刷物毎に生成された識別情報を記憶する識別情報記憶手段と、
前記識別情報を画像に変換した識別画像を読み取る識別画像読み取り手段と、
前記識別画像を識別情報に変換し、前記識別情報記憶手段に記憶されている識別情報を用いて検品を行う検品処理手段と
を具備することを特徴とする検品装置。
【請求項１６】
ユーザデータに基づいて印刷物毎に識別情報を生成する識別情報生成手段と、
前記識別情報を画像に変換した識別画像を読み取る識別画像読み取り手段と、
前記識別画像を識別情報に変換し、前記識別情報生成手段で生成した識別情報を用いて検品を行う検品処理手段と
を具備することを特徴とする検品装置。
【請求項１７】
コンピュータを、
ユーザデータに基づいて印刷物毎に識別情報を生成する識別情報生成手段、
前記識別情報を印刷可能な識別画像に変換する識別情報変換手段、
前記ユーザデータとフォームとを用いて、前記識別画像を付した前記印刷物をオーバレイ印刷するための処理を行うバリアブル印刷手段、
前記ユーザデータと前記識別情報とを関連付けたリストを生成して印刷出力するための処理を行うリスト印刷手段、
前記識別画像を読み取る識別画像読み取り手段で読み取った前記識別画像を識別情報に変換して検品を行う検品処理手段
として機能させることを特徴とする印刷検品プログラム。
【請求項１８】
コンピュータを、
ユーザデータに基づいて印刷物毎に識別情報を生成する識別情報生成手段、
前記識別情報を印刷可能な識別画像に変換する識別情報変換手段、
前記ユーザデータとフォームとを用いて、前記識別画像を付した前記印刷物をオーバレイ印刷するための処理を行うバリアブル印刷手段、
前記識別情報を記憶する識別情報記憶手段、
前記識別画像を読み取る識別画像読み取り手段で読み取った前記識別画像を識別情報に変換し、前記識別情報記憶手段に記憶されている識別情報を用いて検品を行う検品処理手段
として機能させることを特徴とする印刷検品プログラム。
【請求項１９】
前記ユーザデータと前記識別情報とを関連付けたリストを生成して印刷出力するための処理を行うリスト印刷手段としてさらに機能させ、
前記検品処理手段は、前記リストから読み取った識別画像を変換した識別情報、又は前記識別情報記憶手段に記憶されている識別情報を用いて検品を行う
ことを特徴とする請求項１８記載の印刷検品プログラム。
【請求項２０】
前記識別情報生成手段は、前記印刷物を印刷出力する際に前記識別情報を再生成し、
前記バリアブル印刷手段は、再生成した識別情報を変換した識別画像を用いて該識別画像が付された前記印刷物を印刷するための処理を行う
ことを特徴とする請求項１７乃至１９記載の印刷検品プログラム。
【請求項２１】
コンピュータを、
ユーザデータに基づいて印刷物毎に識別情報を生成する識別情報生成手段、
前記識別情報を印刷可能な識別画像に変換する識別情報変換手段、
前記ユーザデータとフォームとを用いて、前記識別画像を付した前記印刷物をオーバレイ印刷するための処理を行うバリアブル印刷手段
として機能させることを特徴とする画像形成プログラム。
【請求項２２】
前記ユーザデータと前記識別情報とを関連付けたリストを生成して印刷出力するための処理を行うリスト印刷手段としてさらに機能させることを特徴とする請求項２１記載の画像形成プログラム。
【請求項２３】
前記識別情報生成手段は、前記印刷物の検品を行う検品装置に前記識別情報を送信することを特徴とする請求項２１又は２２記載の画像形成プログラム。
【請求項２４】
前記識別情報生成手段は、前記印刷物を印刷出力する際に前記識別情報を再生成し、
前記バリアブル印刷手段は、再生成した識別情報を変換した識別画像を用いて該識別画像が付された前記印刷物を印刷するための処理を行う
ことを特徴とする請求項２１乃至２３記載の画像形成プログラム。
【請求項２５】
コンピュータを、
ユーザデータに基づいて画像形成装置で印刷物毎に生成された識別情報を記憶する識別情報記憶手段、
前記識別情報を画像に変換した識別画像を読み取る識別画像読み取り手段で読み取った前記識別画像を識別情報に変換し、前記識別情報記憶手段に記憶されている識別情報を用いて検品を行う検品処理手段
として機能させることを特徴とする検品プログラム。
【請求項２６】
コンピュータを、
ユーザデータに基づいて印刷物毎に識別情報を生成する識別情報生成手段、
前記識別情報を画像に変換した識別画像を読み取る識別画像読み取り手段で読み取った前記識別画像を識別情報に変換し、前記識別情報生成手段で生成した識別情報を用いて検品を行う検品処理手段
として機能させることを特徴とする検品プログラム。
【発明の詳細な説明】
【技術分野】
【０００１】
本発明は、印刷物検品システム、印刷検品装置、画像形成装置、検品装置、印刷検品プログラム、画像形成プログラム、及び検品プログラムに関し、特に、バリアブル印刷による印刷物を検品する印刷物検品システム、印刷検品装置、画像形成装置、検品装置、印刷検品プログラム、画像形成プログラム、及び検品プログラムに関する。
【背景技術】
【０００２】
フォームの所定の個所に可変データ（バリアブルデータ）を重ね合わせ、帳票など、一部づつ異なる情報が印刷された印刷物を印刷出力するバリアブル印刷では、その性質上、各バリアブルデータが改竄されることなく、意図した順番で正しく印刷出力されることが特に要求されている。
【０００３】
印刷物を検品する方法としては、例えば、印刷確認用の確認データを印刷物に印刷し、当該確認データと認識データを比較することにより、印刷が確実に行われたことを確認する方法が提案されている（例えば、特許文献１参照）。
【０００４】
また、印刷物の各可変情報にそれぞれ識別バーコードを付加し、当該識別バーコードを検品に用いる方法（例えば、特許文献２参照）や、偽造防止のための証明情報を文字とバーコードで印刷し、バーコードを文字変換して証明情報の文字と比較する方法（例えば、特許文献３参照）も提案されている。
【特許文献１】特開平０３−０３４８８１号公報
【特許文献２】特開２００４−２９９２２６号公報
【特許文献３】特開２００４−１８８８９５号公報
【発明の開示】
【発明が解決しようとする課題】
【０００５】
しかし、特許文献１では、印刷物に印刷されている確認データに基づいて、印刷が確実に行われたか否かを確認しており、バリアブル印刷に用いたとしても、ユーザデータに改竄などが行われたか否かを確認することはできなかった。
【０００６】
また、特許文献２では、可変データ（バリアブルデータ）毎に識別バーコードを印刷するため、複数の可変データをフォームに重ね合わせてオーバレイ印刷するバリアブル印刷に用いたとすると、多数の識別バーコードが印刷物に印刷され、見栄えが大変悪くなると共に、各識別バーコード毎に検品しなければならないことから、検品作業の効率も悪かった。
【０００７】
さらに、特許文献３では、検品時に文字列を目視で確認する必要があり、検品作業に適していなかった。
【０００８】
そこで、本発明では、バリアブル印刷による印刷物において、バリアブルデータの改竄などが行われることなく適切に印刷が行われたかを容易に検品することが可能な印刷物検品システム、印刷検品装置、画像形成装置、検品装置、印刷検品プログラム、画像形成プログラム、及び検品プログラムを提供することを目的とする。
【課題を解決するための手段】
【０００９】
本発明における印刷物検品システムは、ユーザデータに基づいて印刷物毎に識別情報を生成する第１の識別情報生成手段と、前記識別情報を印刷可能な識別画像に変換する識別情報変換手段と、前記ユーザデータとフォームとを用いて、前記識別画像を付した前記印刷物をオーバレイ印刷するための処理を行うバリアブル印刷手段と、前記ユーザデータと前記識別情報とを関連付けたリストを生成して印刷出力するための処理を行うリスト印刷手段とを具備する画像形成装置と、前記識別画像を読み取る識別画像読み取り手段と、前記識別画像を識別情報に変換して検品を行う検品処理手段とを具備する検品装置とを備えることを特徴とする。
【００１０】
また、本発明における印刷物検品システムは、ユーザデータに基づいて印刷物毎に識別情報を生成する第１の識別情報生成手段と、前記識別情報を印刷可能な識別画像に変換する識別情報変換手段と、前記ユーザデータとフォームとを用いて、前記識別画像を付した前記印刷物をオーバレイ印刷するための処理を行うバリアブル印刷手段とを具備する画像形成装置と、前記識別情報を記憶する識別情報記憶手段と、前記識別画像を読み取る識別画像読み取り手段と、前記識別画像を識別情報に変換し、前記識別情報記憶手段に記憶されている識別情報を用いて検品を行う検品処理手段とを具備する検品装置とを備えることを特徴とする。
【００１１】
また、前記画像形成装置は、前記ユーザデータと前記識別情報とを関連付けたリストを生成して印刷出力するための処理を行うリスト印刷手段をさらに具備し、前記検品処理手段は、前記リストから読み取った識別画像を変換した識別情報、又は前記識別情報記憶手段に記憶されている識別情報を用いて検品を行う。
【００１２】
また、本発明における印刷物検品システムは、ユーザデータに基づいて印刷物毎に識別情報を生成する第１の識別情報生成手段と、前記識別情報を印刷可能な識別画像に変換する識別情報変換手段と、前記ユーザデータとフォームとを用いて、前記識別画像を付した前記印刷物をオーバレイ印刷するための処理を行うバリアブル印刷手段とを具備する画像形成装置と、前記ユーザデータに基づいて印刷物毎に識別情報を生成する第２の識別情報生成手段と、前記識別画像を読み取る識別画像読み取り手段と、前記識別画像を識別情報に変換し、前記第２の識別情報生成手段で生成した識別情報を用いて検品を行う検品処理手段とを具備する検品装置とを備えることを特徴とする。
【００１３】
また、前記画像形成装置は、前記ユーザデータと前記識別情報とを関連付けたリストを生成して印刷出力するための処理を行うリスト印刷手段をさらに具備し、前記検品処理手段は、前記リストから読み取った識別画像を変換した識別情報、又は前記第２の識別情報生成手段で生成した識別情報を用いて検品を行うことを特徴とする。
【００１４】
また、前記第１の識別情報生成手段は、前記印刷物を印刷出力する際に前記識別情報を再生成し、前記バリアブル印刷手段は、再生成した識別情報を変換した識別画像を用いて該識別画像が付された前記印刷物を印刷するための処理を行うことを特徴とする。
【００１５】
次に、本発明における印刷検品装置は、ユーザデータに基づいて印刷物毎に識別情報を生成する識別情報生成手段と、前記識別情報を印刷可能な識別画像に変換する識別情報変換手段と、前記ユーザデータとフォームとを用いて、前記識別画像を付した前記印刷物をオーバレイ印刷するための処理を行うバリアブル印刷手段と、前記ユーザデータと前記識別情報とを関連付けたリストを生成して印刷出力するための処理を行うリスト印刷手段と、前記識別画像を読み取る識別画像読み取り手段と、前記識別画像を識別情報に変換して検品を行う検品処理手段とを具備することを特徴とする。
【００１６】
また、本発明における印刷検品装置は、ユーザデータに基づいて印刷物毎に識別情報を生成する識別情報生成手段と、前記識別情報を印刷可能な識別画像に変換する識別情報変換手段と、前記ユーザデータとフォームとを用いて、前記識別画像を付した前記印刷物をオーバレイ印刷するための処理を行うバリアブル印刷手段と、前記識別情報を記憶する識別情報記憶手段と、前記識別画像を読み取る識別画像読み取り手段と、前記識別画像を識別情報に変換し、前記識別情報記憶手段に記憶されている識別情報を用いて検品を行う検品処理手段とを具備することを特徴とする。
【００１７】
また、前記ユーザデータと前記識別情報とを関連付けたリストを生成して印刷出力するための処理を行うリスト印刷手段をさらに具備し、前記検品処理手段は、前記リストから読み取った識別画像を変換した識別情報、又は前記識別情報記憶手段に記憶されている識別情報を用いて検品を行うことを特徴とする。
【００１８】
また、前記識別情報生成手段は、前記印刷物を印刷出力する際に前記識別情報を再生成し、前記バリアブル印刷手段は、再生成した識別情報を変換した識別画像を用いて該識別画像が付された前記印刷物を印刷するための処理を行うことを特徴とする。
【００１９】
本発明における画像形成装置は、ユーザデータに基づいて印刷物毎に識別情報を生成する識別情報生成手段と、前記識別情報を印刷可能な識別画像に変換する識別情報変換手段と、前記ユーザデータとフォームとを用いて、前記識別画像を付した前記印刷物をオーバレイ印刷するための処理を行うバリアブル印刷手段とを具備することを特徴とする。
【００２０】
また、前記ユーザデータと前記識別情報とを関連付けたリストを生成して印刷出力するための処理を行うリスト印刷手段をさらに具備することを特徴とする。
【００２１】
また、前記識別情報生成手段は、前記印刷物の検品を行う検品装置に前記識別情報を送信することを特徴とする。
【００２２】
また、前記識別情報生成手段は、前記印刷物を印刷出力する際に前記識別情報を再生成し、前記バリアブル印刷手段は、再生成した識別情報を変換した識別画像を用いて該識別画像が付された前記印刷物を印刷するための処理を行うことを特徴とする。
【００２３】
本発明における検品装置は、ユーザデータに基づいて画像形成装置で印刷物毎に生成された識別情報を記憶する識別情報記憶手段と、前記識別情報を画像に変換した識別画像を読み取る識別画像読み取り手段と、前記識別画像を識別情報に変換し、前記識別情報記憶手段に記憶されている識別情報を用いて検品を行う検品処理手段とを具備することを特徴とする。
【００２４】
また、本発明における検品装置は、ユーザデータに基づいて印刷物毎に識別情報を生成する識別情報生成手段と、前記識別情報を画像に変換した識別画像を読み取る識別画像読み取り手段と、前記識別画像を識別情報に変換し、前記識別情報生成手段で生成した識別情報を用いて検品を行う検品処理手段とを具備することを特徴とする。
【００２５】
本発明における印刷検品プログラムは、コンピュータを、ユーザデータに基づいて印刷物毎に識別情報を生成する識別情報生成手段、前記識別情報を印刷可能な識別画像に変換する識別情報変換手段、前記ユーザデータとフォームとを用いて、前記識別画像を付した前記印刷物をオーバレイ印刷するための処理を行うバリアブル印刷手段、前記ユーザデータと前記識別情報とを関連付けたリストを生成して印刷出力するための処理を行うリスト印刷手段、前記識別画像を読み取る識別画像読み取り手段で読み取った前記識別画像を識別情報に変換して検品を行う検品処理手段として機能させることを特徴とする。
【００２６】
また、本発明における印刷検品プログラムは、コンピュータを、ユーザデータに基づいて印刷物毎に識別情報を生成する識別情報生成手段、前記識別情報を印刷可能な識別画像に変換する識別情報変換手段、前記ユーザデータとフォームとを用いて、前記識別画像を付した前記印刷物をオーバレイ印刷するための処理を行うバリアブル印刷手段、前記識別情報を記憶する識別情報記憶手段、前記識別画像を読み取る識別画像読み取り手段で読み取った前記識別画像を識別情報に変換し、前記識別情報記憶手段に記憶されている識別情報を用いて検品を行う検品処理手段として機能させることを特徴とする。
【００２７】
また、前記ユーザデータと前記識別情報とを関連付けたリストを生成して印刷出力するための処理を行うリスト印刷手段としてさらに機能させ、前記検品処理手段は、前記リストから読み取った識別画像を変換した識別情報、又は前記識別情報記憶手段に記憶されている識別情報を用いて検品を行うことを特徴とする。
【００２８】
また、前記識別情報生成手段は、前記印刷物を印刷出力する際に前記識別情報を再生成し、前記バリアブル印刷手段は、再生成した識別情報を変換した識別画像を用いて該識別画像が付された前記印刷物を印刷するための処理を行うことを特徴とする。
【００２９】
本発明における画像形成プログラムは、コンピュータを、ユーザデータに基づいて印刷物毎に識別情報を生成する識別情報生成手段、前記識別情報を印刷可能な識別画像に変換する識別情報変換手段、前記ユーザデータとフォームとを用いて、前記識別画像を付した前記印刷物をオーバレイ印刷するための処理を行うバリアブル印刷手段として機能させることを特徴とする。
【００３０】
また、前記ユーザデータと前記識別情報とを関連付けたリストを生成して印刷出力するための処理を行うリスト印刷手段としてさらに機能させることを特徴とする。
【００３１】
また、前記識別情報生成手段は、前記印刷物の検品を行う検品装置に前記識別情報を送信することを特徴とする。
【００３２】
また、前記識別情報生成手段は、前記印刷物を印刷出力する際に前記識別情報を再生成し、前記バリアブル印刷手段は、再生成した識別情報を変換した識別画像を用いて該識別画像が付された前記印刷物を印刷するための処理を行うことを特徴とする。
【００３３】
本発明における検品プログラムは、コンピュータを、ユーザデータに基づいて画像形成装置で印刷物毎に生成された識別情報を記憶する識別情報記憶手段、前記識別情報を画像に変換した識別画像を読み取る識別画像読み取り手段で読み取った前記識別画像を識別情報に変換し、前記識別情報記憶手段に記憶されている識別情報を用いて検品を行う検品処理手段として機能させることを特徴とする。
【００３４】
また、本発明における検品プログラムは、コンピュータを、ユーザデータに基づいて印刷物毎に識別情報を生成する識別情報生成手段、前記識別情報を画像に変換した識別画像を読み取る識別画像読み取り手段で読み取った前記識別画像を識別情報に変換し、前記識別情報生成手段で生成した識別情報を用いて検品を行う検品処理手段として機能させることを特徴とする。
【発明の効果】
【００３５】
本発明では、バリアブルデータの漏れや改竄など、バリアブル印刷による印刷物の検品を容易に行うことができる。
【発明を実施するための最良の形態】
【００３６】
図１は、本発明における印刷物検品システムの構成の一例を示す機能ブロック図である。
【００３７】
同図に示すように印刷物検品システムは、バリアブル印刷を実行して印刷物を印刷出力する画像形成装置１０と、印刷物の検品を行う検品装置２０とを備え、ＬＡＮ(Local Area Network)やインターネット網などのネットワーク、ＵＳＢ(Universal Serial Bus)ケーブルやシリアルケーブルなどを用いたローカル接続など、図示しない任意の接続手段を用いて接続している。
【００３８】
画像形成装置１０は、ユーザデータ登録部１１と、ハッシュ値計算部１２と、バーコード変換部１３と、リスト印刷部１４と、フォーム登録部１５と、バリアブル印刷部１６とを備えて構成されている。
【００３９】
ユーザデータ登録部１１は、フォームに重ね合わせてオーバレイ印刷を実行するユーザデータ（バリアブルデータ）を登録する。具体的には、例えば、ＰＣ(Personal Computer)などの情報処理装置（図示しない）で作成されたユーザデータを、ＵＳＢメモリなどのメディアから情報を読み取るメディアリーダやネットワークなどを介して取得し、登録する。
【００４０】
ユーザデータとしては、例えば、レコード行とフィールド列からなるＣＳＶ(Comma Separated Values)形式のバリアブルデータなど、任意のバリアブルデータを用いることが可能である。
【００４１】
識別情報生成部１２は、印刷物に印刷されるユーザデータに基づいて、該ユーザデータの改竄を判断することが可能な識別情報を各印刷物毎に生成する。具体的には、例えば、ユーザデータに基づいてハッシュ値を算出し、識別情報とする。
【００４２】
識別情報変換部１３は、識別情報生成部１２で生成した識別情報を印刷物に印刷可能なデータ（識別画像）に変換する。具体的には、例えば、識別情報生成部１２で生成したハッシュ値をバーコードやＱＲコードTMなどの２次元コードに変換する。
【００４３】
リスト印刷部１４は、ユーザデータ及び該ユーザデータの識別画像を一覧を表示するリストを印刷出力するための処理を行う。具体的には、例えば、各印刷物を示す情報と、該印刷物のユーザデータに基づいて生成した識別画像とを関連付けたリストを生成し、紙などの媒体に画像を印刷出力する画像形成部（図示しない）に当該リストを送信して印刷出力する。
【００４４】
フォーム登録部１５は、ユーザデータを重ね合わせてオーバーレイ印刷を実行するフォームを登録する。具体的には、例えば、ＰＣなどの情報処理装置（図示しない）で作成されたフォームを、メディアリーダやネットワークなどを介して取得し、登録する。
【００４５】
バリアブル印刷部１６は、印刷物を印刷出力するための処理を行う。具体的には、例えば、ユーザデータと、当該ユーザデータに対応するフォームと、当該ユーザデータの識別画像を取得し、ユーザデータをフォームに重ね合わせると共に、所定の個所に識別画像を付して印刷データを生成し、画像形成部（図示しない）に当該印刷データを送信してオーバレイ印刷を実行する。
【００４６】
この際、各印刷物毎にユーザデータのハッシュ値を再計算するなど、識別情報を再生成し、再生成した識別情報に基づく識別画像を印刷物に付すことが望ましい。
【００４７】
なお、ユーザデータ登録部１１、ハッシュ値計算部１２、バーコード変換部１３、リスト印刷部１４、フォーム登録部１５、バリアブル印刷部１６は、画像形成装置を制御するコンピュータにインストールされたプログラムなどによって実現される部分である。
【００４８】
上記構成を用いて画像形成装置は、ユーザデータに基づいて識別情報を生成すると共に、当該識別情報を印刷可能な識別画像に変換する。そして、印刷物を示す情報と、当該印刷物の識別画像とを関連付けたリストを印刷出力する。また、印刷物の印刷出力が指示されると、フォームの所定の個所にユーザデータを重ね合わせると共に、識別画像を付して印刷データを生成し、識別画像を付した印刷物を印刷出力する。
【００４９】
検品装置２０は、識別情報記憶部２１と、識別画像読み取り部２２と、検品処理部２３とを備えて構成されている。
【００５０】
識別情報記憶部２１は、識別情報を記憶する。具体的には、例えば、識別情報がハッシュ値である場合には、当該ハッシュ値を識別情報として記憶する。
【００５１】
なお、識別情報は、画像形成装置からネットワークを介して受信する方法の他、メディアリーダを用いて、識別情報が記録されたメディアから読み取る方法など、任意の方法を用いて取得することができる。
【００５２】
識別画像読み取り部２２は、識別画像の読み取りを行う。具体的には、例えば、識別画像が２次元コードである場合は、当該２次元コードに対応するバーコードリーダなど、識別画像の読み取りが可能な装置からなり、リストや印刷物に付されている識別画像の読み取りを行う。
【００５３】
検品処理部２３は、印刷物に付されている識別画像を識別情報に変換し、当該識別情報に基づいて印刷物の検品を行う。具体的には、例えば、印刷物の識別画像から取得した識別情報が識別情報記憶部２１に記憶されている識別情報と一致するか否かの判断を行い、一致した場合は「ＯＫ（改竄なし）」、異なる場合は「ＮＧ（改竄あり）」をＵＩ(User Interface)（図示しない）に表示するなどして、検品結果を通知する。また、リストに基づいて検品を行う場合は、リストに付されている識別画像と、印刷物に付されている識別画像とを交互に読み取り、識別情報が一致するか否かの判断を行った後、検品結果を通知する。
【００５４】
なお、識別情報記憶部２１、検品処理部２３は、検品装置を制御するコンピュータにインストールされたプログラムなどによって実現される部分である。
【００５５】
上記構成を用いて検品装置は、印刷物に付されている識別画像に基づいて、当該印刷物の識別情報を取得し、当該識別情報に基づいて検品を行う。
【００５６】
図２は、ユーザデータを画像形成装置に登録し、リストを印刷出力する際の処理の流れの一例を示すフローチャートである。
【００５７】
まず、画像形成装置１０は、ユーザデータを取得する（ステップ１００）と、当該ユーザデータをユーザデータ登録部１１に登録し（ステップ１０１）、識別情報生成部１２で印刷物毎に識別情報を生成する（ステップ１０２）。
【００５８】
次に、識別情報を検品装置２０に送信し、識別情報記憶部２１に識別情報を記憶させる（ステップ１０３）と共に、識別情報変換部１３で識別情報を識別画像に変換し（ステップ１０４）、各印刷物を示す情報と当該印刷物の識別画像を関連付けたユーザーデータのリストをリスト印刷部１４で生成し、画像形成部で印刷出力する（ステップ１０５）。
【００５９】
なお、図２では、ユーザデータの登録とリストの印刷を連続して行っているが、ステップ１０３で識別情報を検品装置に送信した後、リストの印刷出力指示を待って、ステップ１０２、１０４、１０５の処理を行い、リストを印刷出力してもよい。
【００６０】
また、リストを用いた検品のみを行う場合など、検品装置に識別情報を記憶させる必要がない場合は、ステップ１０３を省略し、検品装置２０に識別情報を記憶させることなく、リストを印刷出力してもよい。
【００６１】
図３は、印刷物を印刷出力する際の処理の流れの一例を示すフローチャートである。
【００６２】
まず、画像形成装置１０は、印刷物の印刷指示を受け付ける（ステップ２００）と、識別情報生成部１２で、ユーザデータ登録部１１からユーザデータを取得して印刷物毎に識別情報を生成し（ステップ２０１）、識別情報変換部１３で当該識別情報を識別画像に変換する（ステップ２０２）。
【００６３】
次に、バリアブル印刷部１６で、ユーザデータ登録部１１からユーザデータを取得すると共に、ユーザデータに関連付けられたフォームをフォーム登録部１５から取得し、ユーザデータとフォームを重ね合わせると共に、所定の個所に識別画像を付してオーバレイ印刷を行う（ステップ２０３）。
【００６４】
なお、例えば、印刷物を印刷物本体と検品用紙とで構成し、識別画像を検品用紙に印刷出力するなど、印刷物の本体以外に識別画像を印刷出力してもよい。
【００６５】
図４は、検品装置に記憶されている識別情報を用いて印刷物の検品を行う際の処理の流れの一例を示すフローチャートである。
【００６６】
まず、識別画像読み取り部２２で印刷物から識別画像を読み取る（ステップ３００）と、検品処理部２３で識別画像を識別情報に変換し（ステップ３０１）、印刷物の識別情報が識別情報記憶部２１に記憶されている識別情報と一致するか否かの判断を行う（ステップ３０２）。
【００６７】
そして、識別情報が一致すると判断する（ステップ３０２でＹＥＳ）と、「ＯＫ（改竄なし）」を検品結果として通知する（ステップ３０３）。
【００６８】
一方、識別情報が一致しないと判断する（ステップ３０２でＮＯ）と、「ＮＧ（改竄あり）」を検品結果として通知する（ステップ３０４）。
【００６９】
図５は、リストに記載されている識別情報を用いて印刷物の検品を行う際の処理の流れの一例を示すフローチャートである。
【００７０】
まず、検品を行う印刷物を示す情報に関連付けられている識別画像を識別画像読み取り部２２でリストから読み取り（ステップ４００）、検品処理部２３で識別画像を識別情報に変換する（ステップ４０１）。
【００７１】
次に、印刷物に付されている識別画像を識別画像読み取り部２２で読み取り（ステップ４０２）、検品処理部２３で識別画像を識別情報に変換する（ステップ４０３）。
【００７２】
そして、リストの識別画像から取得した識別情報と、印刷物の識別画像から取得した識別情報を比較し（ステップ４０４）、識別情報が一致すると判断する（ステップ４０４でＹＥＳ）と、「ＯＫ（改竄なし）」を検品結果として通知する（ステップ４０５）。
【００７３】
一方、識別情報が一致しないと判断する（ステップ４０４でＮＯ）と、「ＮＧ（改竄あり）」を検品結果として通知する（ステップ４０５）。
【００７４】
なお、図５では、リストから識別画像を読み取った後に、印刷物から識別画像を読み取っているが、識別画像の読み取り順は検品に関係無く、例えば、印刷物から識別画像を読み取った後にリストから識別画像を読み取るように構成してもよい。
【００７５】
このように、本発明における検品システムでは、ユーザーデータ登録時と印刷物の印刷出力時にそれぞれ識別情報を算出するため、ユーザデータが登録された後に意図しない変更が行われても、検品時に変更の有無を検出することができる。
【００７６】
また、印刷物の識別画像を読み取ることによって検品を行うため、検品作業を容易且つ迅速に行うことができる。
【００７７】
さらに、印刷物を示す情報と識別画像とが関連付けられたリストや、識別情報が記録されたメディアなどを印刷物の発注者に提供することにより、発注者側で改竄の有無を確認することができる。
【００７８】
ところで、図１では、画像形成装置と検品装置とを用いて印刷物検品システムを構成しているが、例えば、検品装置を構成している各部分を画像形成装置に設けるなどして、一つの装置で印刷物検品システムを構成してもよい。
【００７９】
また、図１及び２を用いて説明した印刷物検品システムでは、画像形成装置で生成した識別情報を検品装置に送信しているが、検品装置でユーザデータを取得し、識別情報を生成することも可能であり、以下、実施例を用いて詳細に説明する。
【実施例１】
【００８０】
図６は、本実施例における印刷物検品システムの構成の一例を示す機能ブロック図である。なお、図１と共通な機能を果たす部分には、図１で使用した符号と同一の符号を付して、その詳細な説明を省略する。
【００８１】
図６に示すように印刷物検品システムは、画像形成装置１０と、検品装置２０とを備え、図示しない任意の接続手段を用いて接続している。
【００８２】
画像形成装置１０は、ユーザデータ登録部１１と、ハッシュ値計算部１２と、バーコード変換部１３と、リスト印刷部１４と、フォーム登録部１５と、バリアブル印刷部１６とを備えて構成されている。
【００８３】
なお、ユーザデータ登録部１１、ハッシュ値計算部１２、バーコード変換部１３、リスト印刷部１４、フォーム登録部１５、バリアブル印刷部１６は、画像形成装置を制御するコンピュータにインストールされたプログラムなどによって実現される部分である。
【００８４】
そして、画像形成装置は、ユーザデータに基づいて識別情報を生成すると共に、当該識別情報を印刷可能な識別画像に変換する。そして、印刷物を示す情報と、当該印刷物の識別画像とを関連付けたリストを印刷出力する。また、印刷物の印刷出力が指示されると、フォームの所定の個所にユーザデータを重ね合わせると共に、識別画像を付して印刷データを生成し、識別画像を付した印刷物を印刷出力する。
【００８５】
検品装置２０は、識別情報記憶部２１と、識別画像読み取り部２２と、検品処理部２３と、識別情報生成部２４とを備えて構成されている。
【００８６】
識別情報生成部２４は、ユーザデータの改竄を判断することが可能な識別情報を各印刷物毎に生成する。具体的には、例えば、ユーザデータに基づいてハッシュ値を算出し、識別情報とする。
【００８７】
なお、識別情報記憶部２１、検品処理部２３、識別情報生成部２４は、検品装置を制御するコンピュータにインストールされたプログラムなどによって実現される部分である。
【００８８】
そして、検品装置は、ユーザデータを取得すると、当該ユーザデータに基づいて識別情報を生成して記憶し、印刷物に付されている識別画像に基づいて取得した識別情報と比較して検品を行う。
【００８９】
図７は、ユーザデータを画像形成装置に登録し、リストを印刷出力する際の処理の流れの一例を示すフローチャートである。
【００９０】
まず、画像形成装置１０は、ユーザデータを取得する（ステップ５００）と、当該ユーザデータをユーザデータ登録部１１に登録し（ステップ５０１）、識別情報生成部１２で印刷物毎に識別情報を生成する（ステップ５０２）。
【００９１】
次に、識別情報変換部１３で識別情報を識別画像に変換し（ステップ５０３）、各印刷物を示す情報と当該印刷物の識別画像を関連付けたユーザーデータのリストをリスト印刷部１４で生成し、画像形成部で印刷出力する（ステップ５０４）。
【００９２】
なお、ステップ５０１でユーザデータを登録した後、処理を一旦中断し、リストの印刷指示を待ってステップ５０２以下の処理を実行するように構成してもよい。
【００９３】
図８は、識別情報を検品装置に記憶させる際の処理の流れの一例を示すフローチャートである。
【００９４】
まず、検品装置２０は、ユーザデータを取得する（ステップ６００）と、識別情報生成部２４で印刷物毎に識別情報を生成し（ステップ６０１）、識別情報記憶部２１に識別情報を記憶する（ステップ６０２）。
【００９５】
このように本実施例では、検品装置で識別情報を生成するため、検品装置が画像形成装置と接続することなく、印刷物の検品を行うことができる。
【００９６】
また、発注者にネットワークやメディアなどを介してユーザデータを提供することによって、発注者側で改竄の有無を確認することができる。
【００９７】
さらに、発注者側でユーザデータを作成した場合は、自らが管理するユーザデータを用いて、所望の印刷物が作成されたか否かを容易且つ迅速に確認することができる。
【図面の簡単な説明】
【００９８】
【図１】本発明における印刷物検品システムの構成の一例を示す機能ブロック図である。
【図２】ユーザデータを画像形成装置に登録し、リストを印刷出力する際の処理の流れの一例を示すフローチャートである。
【図３】印刷物を印刷出力する際の処理の流れの一例を示すフローチャートである。
【図４】検品装置に記憶されている識別情報を用いて印刷物の検品を行う際の処理の流れの一例を示すフローチャートである。
【図５】リストに記載されている識別情報を用いて印刷物の検品を行う際の処理の流れの一例を示すフローチャートである。
【図６】実施例１における印刷物検品システムの構成の一例を示す機能ブロック図である。
【図７】ユーザデータを画像形成装置に登録し、リストを印刷出力する際の処理の流れの一例を示すフローチャートである。
【図８】識別情報を検品装置に記憶させる際の処理の流れの一例を示すフローチャートである。
【符号の説明】
【００９９】
１０…画像形成装置
１１…ユーザデータ登録部
１２…ハッシュ値計算部
１３…バーコード変換部
１４…リスト印刷部
１５…フォーム登録部
１６…バリアブル印刷部
２０…検品装置
２１…識別情報記憶部
２２…識別画像読み取り部
２３…検品処理部
２４…識別情報生成部
【図１】
2007334701.tif 000003
【図２】
2007334701.tif 000004
【図３】
2007334701.tif 000005
【図４】
2007334701.tif 000006
【図５】
2007334701.tif 000007
【図６】
2007334701.tif 000008
【図７】
2007334701.tif 000009
【図８】
2007334701.tif 000010